(57)【要約】【課題】拡張ユニットを装着することによりプリンタ機能を追加できるファクシミリ装置において、ファクシミリ装置が自動的にファクシミリ文書に付記する文字の解像度は低い。【解決手段】拡張ユニット２００がファクシミリ装置１００に接続されていない場合、ファクシミリ装置１００はビットマップフォントによる文字で付加情報を付記したページ画像を生成する。拡張ユニット２００がファクシミリ装置１００に接続されている場合、ファクシミリ装置１００は拡張ユニット２００のアウトラインフォント格納部２１４に保持されているアウトラインフォントによる文字で付加情報を付記したページ画像を生成する。これにより、ファクシミリ文書に自動的に付記する発信元情報などの付加情報を綺麗な字体で印刷できるとともに、拡張ユニット２００を有効的に活用できる。【選択図】        図１
2004235775.tif 000002
【特許請求の範囲】
【請求項１】
ファクシミリ送信すべき画像にビットマップフォントにより付加情報を付記して第１送信画像を生成する第１生成手段と、
前記画像にアウトラインフォントにより前記付加情報を付記した第２送信画像を、前記アウトラインフォントにより印刷を行うための拡張ユニットに生成させる第２生成手段と、
前記第１送信画像または前記第２送信画像をファクシミリのプロトコルに基づいて送信する手段と、
を備えることを特徴とするファクシミリ機能を持つ通信装置。
【請求項２】
前記拡張ユニットが利用可能な場合に、前記第２生成手段は、送付状の画像を前記拡張ユニットに生成させることを特徴とする請求項１に記載のファクシミリ機能を持つ通信装置。
【請求項３】
ファクシミリのプロトコルに基づいてファクシミリデータを受信する手段と、
前記ファクシミリデータに含まれる付加情報をビットマップフォントにより画像化する第１画像化手段と、
アウトラインフォントにより印刷を行うための拡張ユニットに、前記付加情報を前記アウトラインフォントにより画像化させる第２画像化手段と、
を備えることを特徴とするファクシミリ機能を持つ通信装置。
【請求項４】
ファクシミリ送信すべき画像にビットマップフォントにより付加情報を付記して第１送信画像を生成する第１生成手段と、
前記画像にアウトラインフォントにより前記付加情報を付記した第２送信画像を、前記アウトラインフォントにより印刷を行うための拡張ユニットに生成させる第２生成手段と、
前記第１送信画像または前記第２送信画像をファクシミリのプロトコルに基づいて送信する手段と、
をコンピュータに実現させるためのプログラム。
【発明の詳細な説明】
【０００１】
【発明の属する技術分野】
この発明は通信技術に関し、とくにファクシミリ機能を有する通信装置における印刷技術に関する。
【０００２】
【従来の技術】
印刷機能を備える情報機器として、例えばプリンタやファクシミリ装置がある。プリンタは、例えばＰＪＬ（Ｐｒｉｎｔｅｒ  Ｊｏｂ  Ｌａｎｇｕａｇｅ）やＰＤＬ（Ｐｒｉｎｔｅｒ  Ｄｅｓｃｒｉｐｔｉｏｎ  Ｌａｎｇｕａｇｅ）形式の印刷データに含まれるプリンタ言語を解析することで、文書を構成する個々の文字を画像化して印刷を行う。このため、プリンタは各文字の文字コードとその形状とを対応付けたデータ（以下、単に「フォントデータ」という）を一般に有する必要がある。
【０００３】
プリンタで所望の文書を印刷するためには、フォントデータが必要であるが、印刷データで指定されたフォントデータが無い場合、そのフォントデータを有する他のコンピュータから必要なフォントデータを取得して印刷を行うものがある（特許文献１）。
【特許文献１】
特開２０００−３７９３２号公報
【０００４】
【発明が解決しようとする課題】
フォントデータを有するプリンタに対して、ファクシミリ装置は、文書をスキャニングし、画像データとして取り扱うため、文書の印刷にフォントデータを必要としない。しかしながら、多くのファクシミリ装置には、例えば、画像に発信元情報を自動的に付記する機能や送付状を自動的に作成する機能が設けられているため、一般にファクシミリ装置は、低解像度のビットマップフォントをフォントデータとして保持する。このため、ファクシミリ装置が自動的に付記した発信元情報や送付状は、解像度の粗い文字になってしまう。
【０００５】
本発明者はそうした点に着目して本発明をなしたものであり、その目的は、ファクシミリ装置などの通信装置においてジャギーの少ない文字で所定の情報を付記するための技術、通信装置が付記した情報の視認性を高める技術の提供にある。
【０００６】
【課題を解決するための手段】
本発明のある態様はファクシミリ機能を持つ通信装置である。この装置は、ファクシミリ送信すべき画像にビットマップフォントにより付加情報を付記して第１送信画像を生成する第１生成手段と、ファクシミリ送信すべき画像にアウトラインフォントにより付加情報を付記した第２送信画像を、アウトラインフォントにより印刷を行うための拡張ユニットに生成させる第２生成手段と、第１送信画像または第２送信画像をファクシミリのプロトコルに基づいて送信する手段とを備える。これにより、ファクシミリ送信すべき原画像に通信装置が自動的に付記する情報を、綺麗な書体にできる。
【０００７】
拡張ユニットが利用可能な場合に、第２生成手段は、送付状の画像を拡張ユニットに生成させてよい。これにより、通信装置は送付状に記載した文字を綺麗な書体にできる。
【０００８】
本発明の別の態様はファクシミリ機能を持つ通信装置である。この装置は、ファクシミリのプロトコルに基づいてファクシミリデータを受信する手段と、ファクシミリデータに含まれる付加情報をビットマップフォントにより画像化する第１画像化手段と、アウトラインフォントにより印刷を行うための拡張ユニットに、付加情報をアウトラインフォントにより画像化させる第２画像化手段とを備える。
【０００９】
なお、以上の構成要素の任意の組合せ、本発明の表現を方法、装置、システム、記録媒体、コンピュータプログラムなどの間で変換したものもまた、本発明の態様として有効である。
【００１０】
【発明の実施の形態】
図１は第１の実施形態に係る通信装置としてのファクシミリ装置１００と拡張ユニット２００の構成図である。拡張ユニット２００は、ファクシミリ装置１００の機能を拡張するために追加するオプション装置であり、例えばファクシミリ装置１００の筐体内部に取り付けることができる。本実施形態における拡張ユニット２００は、ファクシミリ装置１００に、例えばパーソナルコンピュータなどから印刷データを受信して印刷を行うプリンタ機能を追加する。
【００１１】
第１コネクタ１１６は、公衆回線と物理的に接続するための例えばモジュラージャックなどの接続端子である。モデム／ＮＣＵ１１８は、ファクシミリ通信プロトコルに基づいてファクシミリデータの送受信を行う機能ブロックであり、例えばモデムとＮＣＵとを有する。ＮＣＵは、公衆回線を使った接続を行う際に、公衆回線とモデムやＤＳＵ（Ｄｉｇｉｔａｌ  Ｓｅｒｖｉｃｅ  Ｕｎｉｔ）などと接続して、他のファクシミリ装置との通信を確立する。モデムは、ファクシミリデータを変復調する。
【００１２】
ここで、ファクシミリデータは、ファクシミリのプロトコルに基づいて送受信される一連のデータである。ファクシミリ装置のスキャナにより読み取った画像を「読取画像」または「読取画像データ」という。発信側ファクシミリ装置は、用紙に読取画像と発信元情報等を付記したページ画像を生成し、そのページ画像を、例えばＪＢＩＧ符号化方式やＭＭＲ符号化方式により符号化する。このように符号化されたページ画像のデータを、以下「ファクシミリ画像」または「ファクシミリ画像データ」という。受信側ファクシミリ装置は、ファクシミリ画像データを復号することにより、元のページ画像すなわちファクシミリ文書を出力できる。
【００１３】
スキャナ制御部１３２は、ファクシミリデータとして送信すべき文書を読み取り、読取画像データを生成する。スキャナ用ページメモリ１３４は、読取画像データを一時的に保存するための領域であり、例えばスキャナで文書を読込ながら、逐次、読取画像データを送信する際にバッファとして利用される。画像メモリ制御部１０８は、モデム／ＮＣＵ１１８が受信したファクシミリデータ、およびスキャナ制御部１３２が生成した読取画像データを第１画像メモリ１１０に格納する。
【００１４】
ファクシミリ装置１００が発信側の場合、高速コーディック部１１２は、第１画像メモリ１１０からページ画像データを読み出して符号化し、ファクシミリ画像データを生成する。また、ファクシミリ装置１００が受信側の場合、高速コーディック部１１２は、第１画像メモリ１１０からファクシミリデータに含まれるファクシミリ画像データを読み出して復号化し、ページ画像データを生成する。そして、高速コーディック部１１２は、ページ画像データをページメモリ１０６に一時的に格納する。印刷部１０４は、プリンタ制御部１０２を介してページ画像データをページメモリ１０６から読み出して印刷を行う。
【００１５】
第１ＭＰＵ１２８は、データ格納部１２０に格納された種々のプログラムを実行して、ファクシミリ装置１００に設けられたハードウエアコンポーネントを制御する。本実施形態では、第１ＭＰＵ１２８は、データ格納部１２０から送信画像生成プログラム４１０を読み出して実行する。これにより、送信画像生成部４５０が形成される。送信画像生成部４５０は、当該ファクシミリ装置１００が発信側となる場合に、相手先に送信するページ画像を生成するために起動する。
【００１６】
送信画像生成部４５０は、送信時に、送付状を生成したり読取画像に発信元情報などを付記したりしてページ画像データを生成する。送信画像生成部４５０が自動的に生成し付記する情報を、以下、単に「付加情報」という。詳細は後述するが、この送信画像生成部４５０により、拡張ユニット２００が装着されている場合には、拡張ユニット２００が有するアウトラインフォントで付加情報を生成できる。また、拡張ユニット２００が装着されていない場合には、ビットマップフォント格納部１１４に格納されたビットマップフォントで付加情報を生成できる。つまり送信画像生成部４５０は、未だ画像化されていない文字、すなわちテキスト情報を、文字コードに対応するキャラクタに置き換える際に、拡張ユニット２００が有するアウトラインフォントでその置き換えをするように動作する。
【００１７】
フォーム格納部１２４は、例えばビットマップフォントで印刷する場合と、アウトラインフォントで印刷する場合の２種類の雛形を保持する。例えばその雛形は、送付状の生成、発信元情報の付記のために必要な情報である。ビットマップフォント用の雛形は、挿入すべきデータ項目を特定する情報（以下、単に「項目名」という）と、そのデータの配置を指定する情報（以下、単に「配置情報」という）とを含む。それに対しアウトラインフォント用の雛形は、項目名、配置情報、印字するときの文字のサイズ、文字修飾のタイプなどを保持する。このように、文字のサイズや修飾のタイプを指定する情報を雛形に設定することで、自動的に付加する情報の重要度に合わせてサイズを変えたり、文字修飾したりして視認性を高めることができる。設定データ４１４は、発信元情報すなわちファクシミリ装置１００に関連する各種情報や電話帳など付加情報として挿入可能なデータ、送付状を自動的に生成するか否かを指定する情報、発信元情報等を自動的に付記するか否かを指定する情報などを保持する。
【００１８】
ファクシミリ装置１００は、第２コネクタ１３０ならびに第３コネクタ２０６、および第６コネクタ１３１ならびに第７コネクタ２０７を介して拡張ユニット２００と電気的に接続することで、プリンタとしても機能することができる。第１の系統である第６コネクタ１３１および第７コネクタ２０７は、主に印刷に必要な画像データすなわちビットマップ画像の伝送に利用される。また、第２の系統である第２コネクタ１３０および第３コネクタ２０６は、例えばファクシミリ装置１００と拡張ユニット２００とを連携して動作するための制御情報などを伝送するために主に利用される。本図ではコネクタは２系統あるが、他の例では１系統にまとめられてもよい。
【００１９】
第４コネクタ２２０は、ＬＡＮ（Ｌｏｃａｌ  Ａｒｅａ  Ｎｅｔｗｏｒｋ）やＷＡＮ（Ｗｉｄｅ  Ａｒｅａ  Ｎｅｔｗｏｒｋ）などのネットワークと物理的に接続するための接続端子である。ネットワーク制御部２１６は、物理層の処理を行うＰＨＹコア２１８および第４コネクタ２２０を介して、クライアントとなるコンピュータと接続し、例えばＰＪＬ／ＰＤＬ形式の印刷データを受け付ける。パラレル制御部２２２は、ＵＳＢ（商標）、パラレル、シリアルなどの端子である第５コネクタ２２４を介して接続されたコンピュータから印刷データを受け付ける。ネットワーク制御部２１６およびパラレル制御部２２２がファクシミリ装置１００以外から印刷データを受け付けるための入力手段となる。
【００２０】
コーディック部２１０は印刷データをラスタライズして、ビットマップの画像データを生成する。このとき、コーディック部２１０は必要に応じてアウトラインフォント格納部２１４に保持されているアウトラインフォントを利用する。また、コーディック部２１０は、ＭＭＲ符号化方式などで画像データを符号化してファクシミリ画像を生成する。第２画像メモリ２１２は、画像データを一時的に保存してもよいし、印刷データを一時的に保存してもよい。入出力部２０８は、拡張ユニット２００とファクシミリ装置１００との間で、協調作業のための種々の情報の送受信を行う。コーディック部２１０が生成した画像データは、第７コネクタ２０７および第６コネクタ１３１を介してファクシミリ装置１００のページメモリ１０６に格納され、印刷部１０４により印刷される。ファクシミリ装置１００は、拡張ユニット２００を装着することによりプリンタとして機能できる。
【００２１】
送信画像生成部４５０の指示により、ページ画像を生成するための印刷データがファクシミリ装置１００から供給された場合、入出力部２０８はその印刷データの入力を受け付ける。そして、コーディック部２１０はその印刷データに基づいてラスタライズを行い、アウトラインフォントを利用してページ画像データを生成する。入出力部２０８は、生成したページ画像データをファクシミリ装置１００に出力する。そして、そのページ画像データは、第１画像メモリ１１０に格納され、高速コーディック部１１２で符号化され、ファクシミリ画像データとして送信される。
【００２２】
第２ＭＰＵ２０２は、プログラム格納部２０４に保持されている種々のプログラムを実行し、所定の機能を形成する。例えば、コーディック部２１０はプログラムを実行することにより形成されてもよい。
【００２３】
図２は、図１の送信画像生成部４５０の内部構成図である。第１ページ画像生成部４６０は、図１のビットマップフォント格納部１１４に保持されたビットマップフォントと、フォーム格納部１２４に保持されたビットマップフォント用の雛形を利用して、ページ画像データを生成する。そして第１ページ画像生成部４６０は生成したページ画像データを出力部４６４に供給する。出力部４６４は、そのページ画像データを図１の第１画像メモリ１１０に格納する。そして、図１の高速コーディック部１１２は、そのページ画像データを符号化してファクシミリ画像データを生成する。
【００２４】
第２ページ画像生成部４６２は、フォーム格納部１２４に保持されたアウトラインフォント用の雛形に基づいて、印刷データを生成して拡張ユニット２００に出力する。入力部４６６は、その印刷データに基づいて生成されたページ画像データの入力を拡張ユニット２００から受け付け、出力部４６４に供給する。
【００２５】
検出部４５２は、ファクシミリ装置１００および拡張ユニット２００の各コネクタが電気的に接続されているか否かを検出する。例えば、この検出は、図１の第２コネクタ１３０および第６コネクタ１３１の所定のピンの電圧値を検出することで行ってもよい。指示部４５４は、図１のスキャナ制御部１３２から読取画像データを受け付ける受付部４５８と、その読取画像データを受け付けた場合に、拡張ユニット２００の接続の有無に応じて第１ページ画像生成部４６０または第２ページ画像生成部４６２のいずれか一方にページ画像データの生成を指示する切替部４５６とを有する。拡張ユニット２００が接続されていない場合、切替部４５６は第１ページ画像生成部４６０にページ画像データの生成処理を実行することを指示する。また、拡張ユニット２００が接続されている場合、切替部４５６は第２ページ画像生成部４６２にページ画像データの生成処理を実行することを指示する。これにより、拡張ユニット２００がファクシミリ装置１００に接続されている場合、ファクシミリ装置１００はアウトラインフォントによる綺麗な文字で付加情報を付記したページ画像を生成できる。
【００２６】
図３（ａ）は、図２の第１ページ画像生成部４６０により生成されたページ画像の一例である。このページ画像は、発信元情報が付記された付加情報印刷領域５５０と読取画像が記された送信画像印刷領域５５２とを有する。付加情報印刷領域５５０に付記された発信元情報は、ビットマップフォントのためジャギーが生じている。図３（ｂ）は、図２の第２ページ画像生成部４６２により生成された印刷データに基づいて拡張ユニット２００が生成したページ画像の一例である。このページ画像も付加情報印刷領域５５０と送信画像印刷領域５５２とを有する。付加情報印刷領域５５０には、アウトラインフォントにより発信元情報が付記されている。また、雛形で文字修飾が指定されている場合、指定された修飾が施されるため、視認性を高めることができる。これらのページ画像の一方が図１の高速コーディック部１１２により符号化されてファクシミリデータとして相手先に送信される。
【００２７】
図４（ａ）は、図２の第１ページ画像生成部４６０により生成された送付状のページ画像の一例である。この送付状はビットマップフォントで文字が記されているためジャギーが生じている。図４（ｂ）は、図２の第２ページ画像生成部４６２により生成された印刷データに基づいて拡張ユニット２００が生成したページ画像の一例である。これらのページ画像の一方が図１の高速コーディック部１１２により符号化されてファクシミリデータとして相手先に送信される。
【００２８】
図５は、図１のファクシミリ装置１００におけるファクシミリデータの送信処理のフローチャートの一例である。図１のスキャナ制御部１３２は文書をスキャンして（Ｓ１００）、読取画像データを生成する。図２の指示部４５４は、読取画像データを受け付けたことを契機に、送付状や発信元情報などの付加情報を付記するか否かを判定する（Ｓ１０２）。この判定は、図１のデータ格納部１２０に保持された設定データ４１４に基づいて行われてもよい。
【００２９】
付加情報を付記する場合（Ｓ１０２のＹ）、図２の検出部４５２は、拡張ユニット２００がファクシミリ装置１００に装着されているか否かを判定する（Ｓ１０４）。拡張ユニット２００が装着されていない場合（Ｓ１０４のＮ）、第１ページ画像生成部４６０は、ビットマップフォントでページ画像データを生成する（Ｓ１０６）。そして、高速コーディック部１１２は、そのページ画像データを符号化する（Ｓ１１０）。そして、モデム／ＮＣＵ１１８は、ファクシミリデータを送信する（Ｓ１１２）。
【００３０】
Ｓ１０４で拡張ユニット２００が装着されている場合（Ｓ１０４のＹ）、第２ページ画像生成部４６２は印刷データを生成し、拡張ユニット２００はその印刷データに基づいてページ画像データを生成する（Ｓ１０８）。そして符号化処理（Ｓ１１０）に進む。Ｓ１０２で、付加情報を付記しない場合（Ｓ１０２のＮ）、読取画像データに例えば発信元情報を付加することなくページ画像データとして符号化する（Ｓ１１０）。これにより、拡張ユニット２００がファクシミリ装置１００に装着されていれば、ファクシミリ装置１００は、綺麗な書体で付加情報を付記したファクシミリ文書を送ることができる。
【００３１】
第２の実施形態は、ファクシミリデータの受信側で付加情報を付記する形態である。ファクシミリ通信プロトコルには、非標準機能設定信号（以下、「ＮＳＳフレーム」という）というメーカが任意に利用できる信号が規定されている。このＮＳＳフレームに付加情報を付記するための情報を加えることで、受信側で付加情報を付記することが可能になる。
【００３２】
図６は、第２の実施形態に係るファクシミリ装置１００と拡張ユニット２００の構成図である。本図で既に説明した機能ブロックと同一の符号を付した構成は、既に説明した同一の符号を付した構成と機能および動作が同一である。本実施形態では、第１ＭＰＵ１２８は、データ格納部１２０から画像化プログラム４１２を読み出して実行する。これにより、画像化部５００が形成される。画像化部５００は、当該ファクシミリ装置１００が受信側となった場合に、受信したファクシミリデータに含まれるファクシミリ画像データを画像化するために起動する。
【００３３】
画像化部５００は、受信したファクシミリデータに付加情報を付記するための情報が含まれている場合、その付加情報を付記したページ画像を生成するための処理を行う。詳細は後述するが、この画像化部５００により、拡張ユニット２００が装着されている場合には、拡張ユニット２００が有するアウトラインフォントで発信元情報が付記されたページ画像データを生成できる。また、拡張ユニット２００が装着されていない場合には、ビットマップフォント格納部１１４に格納されたビットマップフォントで発信元情報が表記されたページ画像データを生成できる。受信側で付加情報を生成して印刷するので、第１の実施形態のように送信時に付加情報を付記して送信するより綺麗なファックス文書になる。
【００３４】
図７は、図６の画像化部５００の内部構成図である。第１画像化部５１２は、付加情報を図６のビットマップフォント格納部１１４に保持されたビットマップフォントで付記したページ画像データを生成する。そして第１画像化部５１２は生成したページ画像データを出力部５１８に供給する。出力部５１８は、そのページ画像データを図６のページメモリ１０６に格納する。そして、図６の印刷部１０４は、そのページ画像データに基づいて印刷する。
【００３５】
第２画像化部５１４は、フォーム格納部１２４に保持されたアウトラインフォント用の雛形に基づいて、印刷データを生成して拡張ユニット２００に出力する。入力部５１６は、その印刷データに基づいて生成されたページ画像データの入力を拡張ユニット２００から受け付け、出力部５１８に供給する。
【００３６】
検出部５０２は、ファクシミリ装置１００および拡張ユニット２００の各コネクタが電気的に接続されているか否かを検出する。例えば、この検出は、図６の第２コネクタ１３０および第６コネクタ１３１の所定のピンの電圧値を検出することで行ってもよい。受付部５１０は、モデム／ＮＣＵ１１８からファクシミリデータの入力を受け付ける。復号化指示部５２０は、ファクシミリデータに含まれるファクシミリ画像データの復号を高速コーディック部１１２に指示する。指示部５０４は、付加情報を新たに付記する必要があるか否かを判定する判定部５０８と、拡張ユニット２００の装着の有無に応じて第１画像化部５１２または第２画像化部５１４のいずれか一方に付加情報を付記したページ画像データの生成を実行させる切替部５０６とを有する。
【００３７】
判定部５０８は、ＮＳＳフレームに付加情報を付記するための情報が含まれているか否かを判定する。その情報が含まれていない場合、判定部５０８は、復号化指示部５２０により既に復号されたページ画像データをページメモリ１０６に転送させる。付加情報を付記するための情報が含まれている場合、判定部５０８は、切替部５０６に指示する。切替部５０６は、拡張ユニット２００が装着されていない場合に第１画像化部５１２にページ画像データの生成を指示し、拡張ユニット２００が装着されている場合に第２画像化部５１４にページ画像データの生成を指示する。
【００３８】
図８は、ファクシミリデータを受信したときの図７の画像化部５００における処理のフローチャートの一例である。図７の受付部５１０がファクシミリデータを受け付けると、復号化指示部５２０は、ファクシミリデータに含まれるファクシミリ画像の復号を図６の高速コーディック部１１２に指示する。そして高速コーディック部１１２は、画像データを生成する（Ｓ１１４）。図７の判定部５０８は、付加情報を付加するための情報がＮＳＳフレームに含まれているか否かを判定する（Ｓ１１６）。その情報が含まれていない場合（Ｓ１１６のＮ）、判定部５０８は、既に復号したページ画像データを図６のページメモリ１０６に転送させる。そして、図６の印刷部１０４は、そのページ画像データに基づいて印刷を行う（Ｓ１２４）。
【００３９】
Ｓ１１６で、付加情報を付加するための情報がＮＳＳフレームに含まれている場合（Ｓ１１６のＹ）、指示部５０４は、拡張ユニット２００がファクシミリ装置１００に装着されているか否かを判定し（Ｓ１１８）、装着されていない場合（Ｓ１１８のＮ）、第１画像化部５１２は、ビットマップフォントで付加情報を付記したページ画像データを生成する（Ｓ１２０）。また、拡張ユニット２００が装着されている場合（Ｓ１１８のＹ）、第２画像化部５１４はアウトラインフォントで付加情報を付記したページ画像データを生成する（Ｓ１２２）。そして、第１画像化部５１２または第２画像化部５１４のいずれか一方で生成されたページ画像データが印刷部１０４にて印刷される（Ｓ１２４）。
【００４０】
以上、本発明を実施の形態をもとに説明した。実施の形態は例示であり、それらの各構成要素や各処理プロセスの組合せにいろいろな変形例が可能なこと、またそうした変形例も本発明の範囲にあることは当業者に理解されるところである。
【００４１】
こうした変形例として、第１の実施形態で説明した送信画像生成部４５０を実現するための構成と、第２の実施形態で説明した画像化部５００を実現するための構成とを組み合わせてもよい。
【００４２】
また、図１のファクシミリ装置１００にテキストデータが供給された場合、図１のコーディック部２１０はテキストデータに含まれる各文字をアウトラインフォントにより画像化する。これにより、印刷部１０４はアウトラインフォントを利用して生成されたページ画像に基づいて印刷できる。また、テキストデータに宛先に関する情報が含まれている場合、送信画像生成部４５０は、アウトラインフォントで画像化したそのテキストデータを、ファクシミリ文書としてその宛先に送信してもよい。
【００４３】
【発明の効果】
本発明によれば、ファクシミリ装置などの通信装置にプリンタ機能を追加する拡張ユニットが装着された場合に、通信装置が自動的に付加する文字の綺麗にできる。
【図面の簡単な説明】
【図１】第１の実施形態に係るファクシミリ装置と拡張ユニットの構成図である。
【図２】図１の送信画像生成部の内部構成図である。
【図３】図３（ａ）は、図２の第１ページ画像生成部により生成されたページ画像の一例である。図３（ｂ）は、図２の第２ページ画像生成部により生成された印刷データに基づいて拡張ユニットが生成したページ画像の一例である。
【図４】図４（ａ）は、図２の第１ページ画像生成部により生成された送付状のページ画像の一例である。図４（ｂ）は、図２の第２ページ画像生成部により生成された印刷データに基づいて拡張ユニットが生成した送付状のページ画像の一例である。
【図５】図２の送信画像生成部における処理のフローチャートの一例である。
【図６】第２の実施形態に係るファクシミリ装置と拡張ユニットの構成図である。
【図７】図６の画像化部の内部構成図である。
【図８】図７の画像化部における処理のフローチャートの一例である。
【符号の説明】
１００  ファクシミリ装置、１０２  プリンタ制御部、１０４  印刷部、１１４  ビットマップフォント格納部、１２２  リスト印刷プログラム、１２４  フォーム格納部、１３０  第２コネクタ、２００  拡張ユニット、２０６  第３コネクタ、２１０  コーディック部、２１４  アウトラインフォント格納部、４１０  送信画像生成プログラム、４１２  画像化プログラム、４１４  設定データ、４５０  送信画像生成部、４５２  検出部、４５４  指示部、４５８  受付部、４５６  切替部、４６０  第１ページ画像生成部、４６２  第２ページ画像生成部、５００  画像化部、５０２  検出部、５０８  判定部、５１２  第１画像化部、５１４  第２画像化部、５２０  復号化指示部。
【図１】
2004235775.tif 000003
【図２】
2004235775.tif 000004
【図３】
2004235775.tif 000005
【図４】
2004235775.tif 000006
【図５】
2004235775.tif 000007
【図６】
2004235775.tif 000008
【図７】
2004235775.tif 000009
【図８】
2004235775.tif 000010